(57)【特許請求の範囲】
【請求項１】
原稿を読み取る読取手段と、
表示手段と、
前記読取手段により前記原稿を読み取って得られる読取画像に有効読取範囲を示す範囲画像を合成してなる画像を前記表示手段に表示させる表示制御手段と、
前記表示手段の表示面に重ねて配置され、前記表示面への指によるタッチ位置を検出するタッチパネルと、
前記タッチパネルで検出されたタッチ位置の変化とは逆方向に前記有効読取範囲を変更する変更手段とを具備し、
前記表示制御手段は、前記タッチパネルで検出されたタッチ位置の変化に応じて前記表示手段での前記読取画像の表示位置を移動させることを特徴とする画像読取装置。
【請求項２】
画像データの生成指示がなされたことに応じて、前記変更手段により設定されている前記有効読取範囲内の読取画像に応じた画像データを生成する画像データ生成手段をさらに備えたことを特徴とする請求項１に記載の画像読取装置。
【請求項３】
有効読取範囲の変更を行う範囲変更モードの起動／解除の指定に応じて前記範囲変更モードの起動／解除を行うモード設定手段を備え、
かつ前記変更手段は、前記モード設定手段により前記範囲変更モードが起動されているときにのみ前記有効読取範囲の位置を変更することを特徴とする請求項１に記載の画像読取装置。
【請求項４】
前記モード設定手段は、前記範囲変更モードが起動されているときに所定時間に渡り前記タッチパネルにて前記指によるタッチが検出できない場合には前記範囲変更モードを解除することを特徴とする請求項３に記載の画像読取装置。
【請求項５】
印刷手段と、
原稿を読み取る読取手段と、
表示手段と、
前記読取手段により前記原稿を読み取って得られる読取画像に前記印刷手段により印刷するべき有効印刷範囲を示す範囲画像を合成してなる画像を印刷対象となる印刷画像として前記表示手段に表示させる表示制御手段と、
前記表示手段の表示面に重ねて配置され、前記表示面への指によるタッチ位置を検出するタッチパネルと、
前記タッチパネルで検出されたタッチ位置の変化とは逆方向に前記有効印刷範囲を変更する変更手段とを具備し、
前記表示制御手段は、前記タッチパネルで検出されたタッチ位置の変化に応じて前記表示手段での前記読取画像の表示位置を移動させることを特徴とする画像印刷装置。
【請求項６】
印刷指示がなされたことに応じて、前記変更手段により設定されている前記有効印刷範囲内の読取画像に応じた画像データを前記印刷手段に印刷させる印刷制御手段をさらに備えたことを特徴とする請求項５に記載の画像印刷装置。
【請求項７】
有効印刷範囲の変更を行う範囲変更モードの起動／解除の指定に応じて前記範囲変更モードの起動／解除を行うモード設定手段を備え、
かつ前記変更手段は、前記モード設定手段により前記範囲変更モードが起動されているときにのみ前記有効印刷範囲の位置を変更することを特徴とする請求項５に記載の画像印刷装置。
【請求項８】
前記モード設定手段は、前記範囲変更モードが起動されているときに所定時間に渡り前記タッチパネルにて前記指のタッチが検出できない場合には前記範囲変更モードを解除することを特徴とする請求項７に記載の画像印刷装置。
【請求項９】
指でのタッチ位置を検出するタッチパネルが表示面に重ねて配置された表示手段で表示するべき主画像における有効範囲を設定する方法において、
前記タッチパネルで検出されたタッチ位置の変化とは逆方向に前記有効範囲の位置を変更し、
前記主画像に前記有効範囲を示す範囲画像を合成してなる画像を前記タッチ位置の変化に応じて前記主画像を移動させるように前記表示手段に表示させることを特徴とする有効範囲設定方法。
【請求項１０】
指でのタッチ位置を検出するタッチパネルが表示面に重ねて配置された表示手段で表示するべき主画像における有効範囲を設定する方法において、
前記タッチパネルで検出されたタッチ位置の変化とは逆方向に前記有効範囲の位置を変更し、
前記主画像に前記有効読取範囲を示す範囲画像を合成してなる画像を、前記有効範囲の位置が変更されても前記表示面における前記範囲画像の位置が固定され、かつ前記表示面における前記主画像の位置を前記タッチ位置の変化に応じて移動させるように前記表示手段に表示させることを特徴とする有効範囲設定方法。
【発明の詳細な説明】
【０００１】
【発明の属する技術分野】
本発明は、原稿の読み取りを行って画像データを生成する画像読取装置、画像データが示す画像を所定用紙に印刷する画像印刷装置および画像における有効範囲を設定するための有効範囲設定方法に関する。
【０００２】
【従来の技術】
ディジタル複写機では、原稿をフラットベットスキャナなどの画像読取装置により読み取って得られる画像データに基づき、例えば電子写真装置などの画像印刷装置により用紙への印刷を行うことで原稿の複写を得る。
【０００３】
このようなディジタル複写機では、ユーザは画像読取装置の所望とする画像を読み取らせるべく、原稿のセット位置を示すマーク等を参照して所定の位置に正しく原稿をセットする必要がある。
【０００４】
【発明が解決しようとする課題】
しかしながら、ユーザが正しく原稿をセットしたつもりであっても、実際には原稿が傾くなどのように正しくセットされていないことがある。この場合、ユーザは、印刷結果を確認して初めて原稿が正しくセットできていなかったことを知ることができるのであり、用紙の無駄が生じてしまう。また、このような場合には再度の複写を行わなければならず、手間および時間が余計にかかってしまう。
【０００５】
本発明はこのような事情を考慮してなされたものであり、その目的とするところは、読み取りにより得られる画像の有効範囲や印刷される画像の有効範囲をユーザが事前に確認し、さらにその有効範囲を容易に調整することを可能とすることにある。
【０００６】
【課題を解決するための手段】
以上の目的を達成するために本発明の画像読取装置は、原稿を読み取る読取手段と、表示手段と、前記読取手段により前記原稿を読み取って得られる読取画像に有効読取範囲を示す範囲画像を合成してなる画像を前記表示手段に表示させる表示制御手段と、前記表示手段の表示面に重ねて配置され、前記表示面への指によるタッチ位置を検出するタッチパネルと、前記タッチパネルで検出されたタッチ位置の変化とは逆方向に前記有効読取範囲を変更する変更手段とを具備し、前記表示制御手段は、前記タッチパネルで検出されたタッチ位置の変化に応じて前記表示手段での前記読取画像の表示位置を移動させる。
また本発明の画像印刷装置は、印刷手段と、原稿を読み取る読取手段と、表示手段と、前記読取手段により前記原稿を読み取って得られる読取画像に前記印刷手段により印刷するべき有効印刷範囲を示す範囲画像を合成してなる画像を印刷対象となる印刷画像として前記表示手段に表示させる表示制御手段と、前記表示手段の表示面に重ねて配置され、前記表示面への指によるタッチ位置を検出するタッチパネルと、前記タッチパネルで検出されたタッチ位置の変化とは逆方向に前記有効印刷範囲を変更する変更手段とを具備し、前記表示制御手段は、前記タッチパネルで検出されたタッチ位置の変化に応じて前記表示手段での前記読取画像の表示位置を移動させる。
また本発明の有効範囲設定方法は、指でのタッチ位置を検出するタッチパネルが表示面に重ねて配置された表示手段で、表示するべき主画像における有効範囲を設定する方法において、前記タッチパネルで検出されたタッチ位置の変化とは逆方向に前記有効範囲の位置を変更し、前記主画像に前記有効読取範囲を示す範囲画像を合成してなる画像を前記タッチ位置の変化に応じて前記主画像を移動させるように前記表示手段に表示させる。
また本発明の有効範囲設定方法は、指でのタッチ位置を検出するタッチパネルが表示面に重ねて配置された表示手段で表示するべき主画像における有効範囲を設定する方法において、前記タッチパネルで検出されたタッチ位置の変化とは逆方向に前記有効範囲の位置を変更し、前記主画像に前記有効読取範囲を示す範囲画像を合成してなる画像を、前記有効範囲の位置が変更されても前記表示面における前記範囲画像の位置が固定され、かつ前記表示面における前記主画像の位置を前記タッチ位置の変化に応じて移動させるように前記表示手段に表示させる。
【０００７】
これらのような手段を講じたことにより、読取対象となる画像や印刷対象となる画像における有効読取範囲や有効印刷範囲がどの範囲となるかを示す画像が表示手段により表示されるとともに、有効読取範囲や有効印刷範囲の変更指示が表示面への指によるタッチ位置の変化によって受け付けられる。この結果、ユーザが画像の状態を確認・調整しながら、画像を直接的に操作するようにしての変更指示によって有効読取範囲や有効印刷範囲を容易に調整することが可能となる。
【００１０】
また本発明は、有効読取範囲や有効印刷範囲の変更を行う、例えば読取範囲変更処理により実現される範囲変更モードの起動／解除の指定に応じて前記範囲変更モードの起動／解除を行う、例えばＣＰＵのソフトウェア処理により実現されるモード設定手段を備え、かつ前記変更指示受付手段は、前記モード設定手段により前記範囲変更モードが起動されているときにのみ前記タッチパネルで検出される指でのタッチ位置の変化に応じて前記有効読取範囲または前記有効印刷範囲を移動させることとした。
【００１１】
このような手段を講じたことにより、タッチパネルで検出される指でのタッチ位置の変化に応じて有効読取範囲または有効印刷範囲の変更指示の受け付けは範囲変更モードが起動されているときのみに制限される。
【００１２】
また本発明は、前記モード設定手段を、前記範囲変更モードが起動されているときに所定時間に渡り前記タッチパネルにて指でのタッチが検出できない場合には前記範囲変更モードを解除することとした。
【００１３】
このような手段を講じたことにより、範囲変更モードが設定されているにも拘わらずに有効読取範囲または有効印刷範囲の変更指示が所定時間以上なされない状況下では範囲変更モードが解除される。
【００１４】
【発明の実施の形態】
以下、図面を参照して本発明の一実施形態につき説明する。
【００１５】
図１は本実施形態に係る画像読取装置および画像印刷装置を適用して構成されたディジタル複写機の要部構成を示す図である。
【００１６】
この図に示すように本実施形態のディジタル複写機は、原稿台１、光学系ユニット２、搬送ベルト３、モータ４、ＣＣＤセンサ５、光源制御部６、ＣＣＤ読取り制御部７、スキャン制御部８、印刷部９、印刷制御部１０、表示部１１、タッチパネル１２、メモリ部１３およびＣＰＵ１４を有してなる。
【００１７】
原稿台１は、例えばガラスなどよりなる透明板を用いてなり、その上面（図中の上方の面）に読み取り面を下にした状態で原稿を載置するものである。
【００１８】
光学系ユニット２は、原稿台１の下面側に配置されている。そして光学系ユニット２は図の奥行き方向に、所定の原稿読取領域の主走査方向幅よりも大きな幅を有している。そして光学系ユニット２は原稿読取領域外において、原稿台１に並行に配置された図示しないガイドロッドにより支持されるとともに、搬送ベルト３に固定されている。かくして、搬送ベルト３がモータ４により回転されることで、光学系ユニット２が原稿台１に沿って図中の左右方向に往復移動可能となっている。この光学系ユニット２は読取光源を内蔵しており、原稿台１に載置された原稿を原稿台１を通して照明する。そして光学系ユニット２は、原稿からの反射光を、ＣＣＤセンサ５に結像する。
【００１９】
ＣＣＤセンサ５は、光学系ユニット２によって結像される原稿からの反射光像を光電変換し、その反射光像に応じた電気信号（画像信号）を生成する。
【００２０】
さて、光源制御部６、ＣＣＤ読取り制御部７、スキャン制御部８、印刷制御部１０、表示部１１、タッチパネル１２、メモリ部１３およびＣＰＵ１４は、システムバス１５を介して互いに接続されている。
【００２１】
光源制御部６は、光学系ユニット２内の読取光源の点灯制御を行う。
【００２２】
ＣＣＤ読取り制御部７は、ＣＣＤセンサ５を駆動して主走査を行わせるとともに、ＣＣＤセンサ５で生成された電気信号（画像信号）を取込む。
【００２３】
スキャン制御部８は、ＣＰＵ１４の制御の下にモータ４を制御し、副走査のために光学系ユニット２を移動させる。
【００２４】
印刷部９は、例えば電子写真プリンタなどを用いてなり、記録用紙に対する印刷を行う。
【００２５】
印刷制御部１０は、ＣＰＵ１４の制御の下に印刷部９の動作を制御し、任意の画像を印刷部９に印刷させる。
【００２６】
表示部１１は例えばＬＣＤなどを用いてなり、ＣＰＵ１４の制御の下にユーザに対して報知するべき各種の情報を表示する。
【００２７】
タッチパネル１２は、透明なものであって、表示部１１の表示面に重ねて配置されている。そしてタッチパネル１２は、ユーザが表示部１１の表示面にタッチした際にそのタッチ位置を検出する。
【００２８】
メモリ部１３は、例えばＲＯＭおよびＲＡＭなどを有してなり、ＣＰＵ１４の動作手順を記述した動作プログラムや、ＣＰＵ１４が各種の処理を行う上で必要な各種のデータを記憶しておく。
【００２９】
ＣＰＵ１４は、メモリ部１３に格納された動作プログラムに基づいて動作し、ディジタル複写機としての動作を実現するべく各部を総括制御する。このＣＰＵ１４がメモリ部１３に格納された動作プログラムに基づいて行うソフトウェア処理により実現される処理手段は、ディジタル複写機における周知の一般的な機能を実現するための周知の処理手段の他に、モード設定手段、変更指示受付手段、表示制御手段および複写制御手段とを有している。
【００３０】
ここでモード設定手段は、有効読取範囲の変更を行う範囲変更モードの起動／解除をユーザ指示およびタイマ管理により行う。なお有効読取範囲とは、複写対象とする画像の範囲を示す。
【００３１】
変更指示受付手段は、ユーザによるタッチパネル１２への指によるタッチ（以下、パネルタッチと称する）によりなされる有効読取範囲の変更指示を受け付ける。
【００３２】
表示制御手段は、原稿を読み取って得られる画像と有効読取範囲との相対的な位置関係をユーザに確認させるための画像の表示を表示部１１に行わせる。
【００３３】
そして複写制御手段は、印刷の実行が指定されたときに設定されている有効読取範囲内の画像を複写するべく印刷部９により印刷させる。
【００３４】
次に以上のように構成されたディジタル複写機の動作につき説明する。なお、基本的な原稿の複写動作などは従来よりあるディジタル複写機と同様であるのでその説明は省略し、ここでは原稿の読取り状態をユーザが確認、調整した上での複写を行う場合の動作につき詳しく説明することとする。またここでは、具体例としては図２に示すようなブック原稿の複写を行う場合を示すこととする。
【００３５】
まずＣＰＵ１４は待機状態においては図３に示すような待機時画像を表示部１１に表示させている。この待機時画像には、「プレビュー」なる項目を指定するためのボタンＢ１が含まれており、このボタンＢ１に相当する位置へのパネルタッチがタッチパネル１２にて検出されたことに応じてＣＰＵ１４は図４に示すようなプレビュー処理の実行を開始する。
【００３６】
このプレビュー処理においてＣＰＵ１４はまず、読取サイズのユーザ設定に拘わらずに最大読取範囲での原稿読み取りを行う（ステップＳＴ１）。そしてＣＰＵ１４は、図５に示すように原稿読み取りにより得られた画像Ｉに有効読取範囲を示す基準線Ｌ１，Ｌ２，Ｌ３を示してなるプレビュー画像を生成してこれを表示部１１に表示させる（ステップＳＴ２）。かくしてユーザは、このように表示部１１に表示されたプレビュー画像を見ることで有効読取範囲に対する原稿のセット状態を印刷前に確認することができる。なお図５では、原稿がずれなくセットできている状態におけるプレビュー画像の一例を示している。
【００３７】
さてＣＰＵ１４は、プレビュー画像の表示をさせた状態ではパネルタッチが行われるのを待ち受ける（ステップＳＴ３）。すなわち、ユーザはプレビュー画像を確認したならば、画面の任意の位置をタッチすることとなっており、そのタッチが行われるのを待ち受けるのである。
【００３８】
そしてパネルタッチが行われたならばＣＰＵ１４は、表示部１１における表示をプレビュー画像から図６に示すようなプレビュー操作画像に変更する（ステップＳＴ４）。プレビュー操作画像は前述のプレビュー画像に加えて、各種項目を指定するためのボタンＢ２〜Ｂ１０が含まれている。
【００３９】
このプレビュー操作画像を表示させた状態でもＣＰＵ１４はパネルタッチが行われるのを待ち受ける（ステップＳＴ５）。そしてここでパネルタッチが行われたならばＣＰＵ１４は、そのパネルタッチがなされた位置に基づいて、指定された項目が「画像移動」「印刷」および「戻る」のいずれであるかを確認する（ステップＳＴ６乃至ステップＳＴ８）。
【００４０】
ここでもし、「画像移動」「印刷」および「戻る」以外の項目が指定されたのであればＣＰＵ１４は、その指定項目に応じた所定の処理を実行する（ステップＳＴ９）。ここでの処理は、例えば濃度調整や用紙サイズ設定などの処理である。そしてステップＳＴ９での処理が終了したならばＣＰＵ１４は、ステップＳＴ５に処理を戻す。
【００４１】
これに対して、「画像移動」の項目が指定されたならばＣＰＵ１４は、読取範囲変更処理を実行する（ステップＳＴ１０）。この読取範囲変更処理を開始するとＣＰＵ１４は図７に示すようにまず、表示部１１における表示をプレビュー操作画像から図８に示すような読取範囲操作用画像に変更する（ステップＳＴ２１）。読取範囲操作用画像は前述のプレビュー画像に加えて、上下左右のそれぞれに対応する微調整矢印Ｂ１１〜Ｂ１４と「戻る」なる項目を指定するためのボタンＢ１５とが含まれる。なお図８では、図５に示したプレビュー画像とは異なり、原稿が読取範囲に対して右斜め上の方向にずれてセットされている状態におけるプレビュー画像の一例を示している。
【００４２】
そしてこの読取範囲操作用画像を表示させた状態でＣＰＵ１４は、パネルタッチが行われるか、あるいはパネルタッチが行われない状態で一定時間が経過するのを待ち受ける（ステップＳＴ２２およびステップＳＴ２３）。そしてここで一定時間が経過する前にパネルタッチが行われたならばＣＰＵ１４は、そのパネルタッチがなされた位置に基づいて、指定されたのが微調整矢印Ｂ１１〜Ｂ１４のいずれかであるのか、それとも項目「戻る」であるのかを確認する（ステップＳＴ２４およびステップＳＴ２５）。
【００４３】
ここでもし、パネルタッチされた位置が微調整矢印および項目「戻る」のいずれにも該当しない領域であるならば、ＣＰＵ１４は読取画像の移動指示と判断する。そしてこの場合にＣＰＵ１４は、その後の指定位置の変化を監視し、その指定位置の変化と同方向に読取範囲操作用画像における読取画像Ｉを移動する（ステップＳＴ２６）。つまり図９に示すように、ユーザが符号Ｆ(1)で示すような状態でパネルタッチをしたのち、そのまま指を符号Ｆ(2)で示すような状態まで移動させたならば、これに応じてＣＰＵ１４は読取画像を符号Ｉ(1)で示す状態から符号Ｉ(2)で示す状態へと移動させる。
【００４４】
このように、表示上は基準線Ｌ１，Ｌ２，Ｌ３は固定したままで読取画像Ｉを移動させるのであるが、読取画像Ｉに対して有効読取範囲をどの位置に設定するのかを管理しておく必要があるので、続いてＣＰＵ１４は、上述の指定位置の変化と逆方向に有効読取範囲を変更する（ステップＳＴ２７）。そしてこの有効読取範囲の変更が終了したならばＣＰＵ１４は、処理をステップＳＴ２２およびステップＳＴ２３の待機状態に戻す。
【００４５】
一方、ステップＳＴ２２およびステップＳＴ２３の待機状態にあるときになされたパネルタッチにより指定されるのが微調整矢印Ｂ１１〜Ｂ１４のいずれかであることをステップＳＴ２４で確認したならばＣＰＵ１４は、指定された微調整矢印の方向に読取画像Ｉを一定量移動させる（ステップＳＴ２８）。なおここでの移動量は、ステップＳＴ２６でユーザの指の移動に応じての画像移動では実現困難な程度の微小量に設定する。従って、微調整矢印Ｂ１１〜Ｂ１４のタッチにより読取画像Ｉの位置の微調整が行えるのである。
【００４６】
そしてこの場合でも読取画像Ｉに対して有効読取範囲をどの位置に設定するのかを管理しておく必要があるので、続いてＣＰＵ１４は、指定された微調整矢印とは逆方向に有効読取範囲を変更する（ステップＳＴ２９）。そしてこの有効読取範囲の変更が終了したならばＣＰＵ１４は、処理をステップＳＴ２２およびステップＳＴ２３の待機状態に戻す。
【００４７】
ステップＳＴ２２およびステップＳＴ２３の待機状態にあるときになされたパネルタッチにより指定される項目が「戻る」であった場合、ＣＰＵ１４は表示部１１における表示を読取範囲操作用画像からプレビュー操作画像に変更し（ステップＳＴ３０）、これをもって読取範囲変更処理を終了して図４中のステップＳＴ５の待ち受け状態に処理を戻す。なお、このように項目「戻る」が指定されなくても、パネルタッチが一定時間行われないことがステップＳＴ２３で認識された場合にも、ＣＰＵ１４は上述のステップＳＴ３０の処理を行った上で読取範囲変更処理を終了する。
【００４８】
さて、図４に示すプレビュー処理におけるステップＳＴ５の待機状態にあるときになされたパネルタッチにより指定される項目が「印刷」であることをステップＳＴ７にて確認した場合にＣＰＵ１４は、ステップＳＴ１で得られた画像データのうちからその時に設定されている有効読取範囲内の画像データを切り出し、これにより実際の読取画像を示した画像データを生成する（ステップＳＴ１１）。そしてＣＰＵ１４は、この切り出した画像データを印刷制御部１０へと与えて印刷を指示し、印刷部９での印刷を行わせる（ステップＳＴ１２）。そして印刷が終了したならば、ＣＰＵ１４は今回のプレビュー処理を終了する。
【００４９】
なお、ステップＳＴ５の待機状態にあるときになされたパネルタッチにより指定される項目が「戻る」であることをステップＳＴ８にて確認した場合にＣＰＵ１４は、上述のような印刷を行うことなしに今回のプレビュー処理をキャンセル終了する。
【００５０】
以上のように本実施形態によれば、実際に原稿を読み取って得られる読取画像Ｉを有効読取範囲を示す基準線Ｌ１，Ｌ２，Ｌ３とともに示した画像を表示部１１にて表示してユーザに確認させるので、実際の有効読取範囲がユーザが期待する読取範囲と異なっている場合にはそのことを印刷を実行する前にユーザが知ることができ、これによりミスコピーを行って用紙を無駄にしてしまうことを未然に防ぐことが可能である。
【００５１】
そしてさらに本実施形態によれば、有効読取範囲の位置をユーザが任意に変更することを可能としているので、ユーザが原稿のセットをし直す必要が無く、これにより使い勝手が向上する。
【００５２】
また本実施形態によれば、有効読取範囲の変更指示をタッチパネル１２における指の移動により受け付けるようにしているので、ユーザは直感的な作業により簡易に有効読取範囲の位置の調整を行うことが可能である。そして本実施形態では、このような有効読取範囲の変更指示は読取範囲変更処理が起動された状態でのみ受け付けるようにしているので、確認用の画面におけるパネルタッチの際に誤って有効読取範囲を変更してしまうことを防止できる。さらに本実施形態では、読取範囲変更処理は一定時間に渡りパネルタッチが行われなければ自動的に終了するようにしているので、必要もなく読取範囲変更処理が行われることで、何らかの原因で誤って有効読取範囲を変更してしまうことを防止できる。
【００５３】
また本実施形態によれば、読取サイズのユーザ設定に拘わらずに最大読取範囲での原稿読み取りを行っておき、印刷を行う際に設定されている有効読取範囲に該当する画像を切り出して印刷に用いるようにしているので、有効読取範囲の決定後にその有効読取範囲での読み取りを再度行う必要が無く、複写完了までの時間を最小限に抑えることが可能である。
【００５４】
なお、本発明は上記実施形態に限定されるものではない。例えば上記実施形態では、最初に最大読取範囲での原稿読み取りを行うこととしているが、ユーザ設定の読取範囲またはそれに一定のマージンを加えた範囲での読み取りを行うようにしても良い。ただしこの場合には、有効読取範囲の変更がなされたならば原稿読み取りを再度行うことが必要となる。
【００５５】
また上記実施形態では、有効読取範囲の移動方向や移動量の指定をタッチパネル１２での指の移動方向や移動量により受け付けるようにしているが、例えばトラックボール、ジョイスティックあるいはカーソルキーなどのような他の種類のデバイスにより移動方向や移動量の指定を受け付けるようにしても良い。
【００５６】
また上記実施形態では、本発明の画像読取装置および画像印刷装置をディジタル複写機に適用している例を示しているが、プレビュー処理におけるステップＳＴ１２の処理を行う機能を除いて画像データを生成する装置とすることで独立した画像読取装置として実現することが可能であるし、またプレビュー処理におけるステップＳＴ１の処理を行う機能を除いて、与えられた画像のうちの任意の有効範囲のみの画像を印刷する装置とすることで独立した画像印刷装置として実現することが可能である。そしてそれらの画像読取装置および画像印刷装置は、ディジタル複写機以外の装置の画像読取部や画像印刷部としてもそれぞれ適用が可能である。
【００５７】
このほか、本発明の要旨を逸脱しない範囲で種々の変形実施が可能である。
【００５８】
【発明の効果】
本発明によれば、読取対象となる画像や印刷対象となる画像における有効読取範囲や有効印刷範囲がどの範囲となるかを示す画像を表示手段により表示するとともに、有効読取範囲や有効印刷範囲の変更指示が表示面への指によるタッチ位置の変化によって受け付けられるので、ユーザが画像の状態を確認・調整しながら、画像を直接的に操作するようにしての変更指示によって有効読取範囲や有効印刷範囲を容易に調整することが可能となる。
【００６０】
また本発明によれば、タッチパネルで検出される指でのタッチ位置の変化に応じて有効読取範囲または有効印刷範囲の変更指示の受け付けを範囲変更モードが起動されているときのみに制限することとしたので、タッチパネルへの不用意なタッチを誤って有効読取範囲または有効印刷範囲の変更指示として受け付けてしまうことを防止できる。
【００６１】
また本発明によれば、範囲変更モードが設定されているにも拘わらずに有効読取範囲または有効印刷範囲の変更指示が所定時間以上なされない状況下では範囲変更モードを解除することとしたので、不必要に範囲変更モードが起動され続けることが防止され、タッチパネルへの不用意なタッチを誤って有効読取範囲または有効印刷範囲の変更指示として受け付けてしまうおそれのある期間が短縮される。
【図面の簡単な説明】
【図１】本発明の一実施形態に係る画像読取装置および画像印刷装置を適用して構成されたディジタル複写機の要部構成を示す図。
【図２】ブック原稿の一例を示す図。
【図３】図１中の表示部１１に表示される待機時画像の一例を示す図。
【図４】図１中のＣＰＵ１４によるプレビュー処理における処理手順を示すフローチャート。
【図５】図１中の表示部１１に表示されるプレビュー画像の一例を示す図。
【図６】図１中の表示部１１に表示されるプレビュー操作画像の一例を示す図。
【図７】図１中のＣＰＵ１４による読取範囲変更処理における処理手順を示すフローチャート。
【図８】図１中の表示部１１に表示される読取範囲操作用画像の一例を示す図。
【図９】パネルタッチしているユーザの指の動きに応じて読取範囲操作用画像における読取画像Ｉが移動される様子を示す図。
【符号の説明】
１…原稿台
２…光学系ユニット
３…搬送ベルト
４…モータ
５…ＣＣＤセンサ
６…光源制御部
７…ＣＣＤ読取り制御部
８…スキャン制御部
９…印刷部
１０…印刷制御部
１１…表示部
１２…タッチパネル
１３…メモリ部
１４…ＣＰＵ
【図１】
0004447797.tif 000002
【図２】
0004447797.tif 000003
【図３】
0004447797.tif 000004
【図４】
0004447797.tif 000005
【図５】
0004447797.tif 000006
【図６】
0004447797.tif 000007
【図７】
0004447797.tif 000008
【図８】
0004447797.tif 000009
【図９】
0004447797.tif 000010